(57)【要約】      （修正有）【課題】ＤＶＤ等を保護しながら往信及び返信ができる緩衝材を兼ねた宛名台紙と、この宛名台紙を内部に収容した往復封筒を提供する。【解決手段】返信用宛名を表示するための窓部を有する表面シート１１と、上端に折線を介してフラップ１３を連設した裏面シート１２とからなる封筒１を構成し、前記フラップ１３の表面に往信用宛名１９を表示すると共に、フラップ１３の上部には前記折線と一定距離を有するミシン目１５を設け、前記ミシン目と折線の間のフラップを返信用フラップ１４とし、一方、表面に返信用宛名を記載しＤＶＤ等を挟んで収納できる宛名台紙を構成し、前記宛名台紙を前記封筒１内に収納して、返信用宛名が前記表面シート１１の窓部に表示される宛名台紙付き往復封筒である。【選択図】図１
0003148415.tif 000002
【実用新案登録請求の範囲】
【請求項１】
返信用宛名を表示するための窓部を有する表面シートと、
上端に折線を介して前記窓部を覆うフラップを連設した裏面シートとからなる封筒を構成し、
前記フラップの表面に往信用宛名を表示すると共に、フラップの上部には、前記折線と一定距離を有するミシン目を設け、前記ミシン目と折線の間のフラップを返信用フラップとし、
一方、表面に返信用宛名を記載し、物品を挟んで収納できる宛名台紙を構成し、
前記宛名台紙を前記封筒内に収納して、返信用宛名が前記表面シートの窓部に表示される宛名台紙付き往復封筒。
【請求項２】
返信用宛名を表示するための窓部を有し、上端には折線を介して返信用フラップを連設した表面シートと、
上端に折線を介して前記窓部を覆うフラップを連設した裏面シートとからなる封筒を構成し、前記フラップの表面に往信用宛名を表示し、
一方、表面に返信用宛名を記載し、物品を挟んで収納できる宛名台紙を構成し、
前記宛名台紙を前記封筒内に収納して、返信用宛名が前記表面シートの窓部に表示される宛名台紙付き往復封筒。
【請求項３】
透明材質からなる表面シート及び裏面シートと、前記裏面シートの上端に折線を介して連設した透明材質からなるフラップを備えた封筒を構成し、
前記フラップの上部には、前記折線と一定距離を有するミシン目を設け、前記ミシン目と折線の間のフラップを返信用フラップとし、
一方、表面に往信用宛名と裏面に返信用宛名を記載し、物品を挟んで収納できる宛名台紙を構成し、
前記宛名台紙を前記封筒内に収納して、前記宛名台紙に記載した往信用宛名及び返信用宛名が目視できる宛名台紙付き往復封筒。
【請求項４】
往信用宛名を表示するための窓部を有し、上端には折線を介して裏面シートの窓部を覆うフラップを連設した表面シートと、
返信用宛名を表示するための窓部を有し、上端には折線を介して表面シートの窓部を覆う返信用フラップを連設した裏面シートとからなる封筒を構成し、
一方、表面に往信用宛名と返信用宛名とを記載し、物品を挟んで収納できる宛名台紙を封筒内に固定し、
前記宛名台紙に記載された往信用宛名が前記表面シートの窓部に表示され、かつ返信用宛名が前記裏面シートの窓部に表示される宛名台紙付き往復封筒。
【請求項５】
往信用宛名を表示するための窓部を有し、上端に折線を介してフラップを連設した表面シートと、裏面シートとからなる封筒を構成し、
前記裏面シートの上端両側には、下方に向かって一定長さのミシン目を設け、このミシン目の下端を連結して折線を構成し、このミシン目と前記折線によって画成された部分を返信用フラップとし、ここに返信用宛名を記載し、
一方、表面に往信用宛名を記載し、物品を挟んで収納できる宛名台紙を構成し、
前記宛名台紙を前記封筒内に収納して、往信用宛名が前記表面シートの窓部に表示される宛名台紙付き往復封筒。
【請求項６】
前記請求項１又は２記載の宛名台紙付き往復封筒に使用される宛名台紙であり、
宛名台紙を２等分して、表面に返信用宛名を記載し、前記宛名台紙を封筒に封入したとき、前記返信用宛名が封筒の窓部から表示される物品の緩衝材及び隠蔽を兼ねた宛名台紙。
【請求項７】
前記請求項４記載の宛名台紙付き往復封筒に使用される宛名台紙であり、
宛名台紙を２等分して、表面に往信用宛名と返信用宛名を記載し、前記宛名台紙を封筒に封入したとき、往信時には往信用宛名が、返信時には返信用宛名が封筒の窓部に表示される物品の緩衝材及び隠蔽を兼ねた宛名台紙。
【請求項８】
前記請求項３記載の宛名台紙付き往復封筒に使用される宛名台紙であり、
宛名台紙を２等分して、表面に往信用宛名を記載し、裏面に返信用宛名を記載し、前記宛名台紙を封筒に封入したとき、往信時には往信用宛名が、返信時には返信用宛名が表示される物品の緩衝材及び隠蔽を兼ねた宛名台紙。
【請求項９】
裏面シートに、大型で内部に品物を収納できる小包用の紙製封筒を取り付けた請求項３記載の宛名台紙付き往復封筒。
【請求項１０】
裏面シートに、大型で内部に品物を収納できる小包用のフイルム製封筒を取り付けた請求項１記載の宛名台紙付き往復封筒。
【考案の詳細な説明】
【技術分野】
【０００１】
本考案は、ＤＶＤあるいはＣＤ等の物品の往信及返信時に使用する往復封筒とそれに使用する宛名台紙に関するものである。
【背景技術】
【０００２】
従来より、特許文献１に示すように、封筒の中に入れたアンケートの回答用紙やダイレクトメールで返事などを求める通知文を送信し、この送信用封筒を返信用の封筒として再利用して返信するために使用される往復封筒が提案されていた。
一方、最近ではＤＶＤあるいはＣＤ等の物品（以下、ＤＶＤ等という）を郵便あるいは宅配便で往復して送ることが行われている。これら場合、ＤＶＤ等を送る往信用封筒の中に返信専用の封筒が同封されており、受け取った人はその返信専用の封筒に返却するＤＶＤ等をいれて返信していた。
【特許文献１】特開２００４−９１０４８号公報
【考案の開示】
【考案が解決しようとする課題】
【０００３】
しかしながら、上記のようにＤＶＤ等を往信と返信する場合には、封筒が２通必要になり、かつ往信と返信の封筒にＤＶＤ等を保護するために２枚の緩衝材を同封しなくてはならないため、緩衝材製作用のコストが高くなるという問題点があった。
また、従来の緩衝材を同封することにより、重量が定形郵便の規定重量をオーバーするため郵便料金が高いものとなった。
【０００４】
本考案は上記の点に鑑みなされたものであり、ＤＶＤ等を保護しながら往信及び返信ができる緩衝材を兼ねた宛名台紙と、この宛名台紙を内部に収容した往復封筒を提供するものである。
【課題を解決するための手段】
【０００５】
本考案の要旨とするところは、返信用宛名を表示するための窓部を有する表面シートと、上端に折線を介して前記窓部を覆うフラップを連設した裏面シートとからなる封筒を構成し、前記フラップの表面に往信用宛名を表示すると共に、フラップの上部には、前記折線と一定距離を有するミシン目を設け、前記ミシン目と折線の間のフラップを返信用フラップとし、一方、表面に返信用宛名を記載し、物品を挟んで収納できる宛名台紙を構成し、前記宛名台紙を前記封筒内に収納して、返信用宛名が前記表面シートの窓部に表示される宛名台紙付き往復封筒である。
【０００６】
また、本考案の要旨とするところは、返信用宛名を表示するための窓部を有し、上端には折線を介して返信用フラップを連設した表面シートと、上端に折線を介して前記窓部を覆うフラップを連設した裏面シートとからなる封筒を構成し、前記フラップの表面に往信用宛名を表示し、一方、表面に返信用宛名を記載し、物品を挟んで収納できる宛名台紙を構成し、前記宛名台紙を前記封筒内に収納して、返信用宛名が前記表面シートの窓部に表示される宛名台紙付き往復封筒である。
【０００７】
また、本考案の要旨とするところは、透明材質からなる表面シート及び裏面シートと、前記裏面シートの上端に折線を介して連設した透明材質からなるフラップを備えた封筒を構成し、前記フラップの上部には、前記折線と一定距離を有するミシン目を設け、前記ミシン目と折線の間のフラップを返信用フラップとし、一方、表面に往信用宛名と裏面に返信用宛名を記載し、物品を挟んで収納できる宛名台紙を構成し、前記宛名台紙を前記封筒内に収納して、前記宛名台紙に記載した往信用宛名及び返信用宛名が目視できる宛名台紙付き往復封筒である。
【０００８】
また、本考案の要旨とするところは、往信用宛名を表示するための窓部を有し、上端には折線を介して裏面シートの窓部を覆うフラップを連設した表面シートと、返信用宛名を表示するための窓部を有し、上端には折線を介して表面シートの窓部を覆う返信用フラップを連設した裏面シートとからなる封筒を構成し、一方、表面に往信用宛名と返信用宛名とを記載し、物品を挟んで収納できる宛名台紙を封筒内に固定し、前記宛名台紙に記載された往信用宛名が前記表面シートの窓部に表示され、かつ返信用宛名が前記裏面シートの窓部に表示される宛名台紙付き往復封筒である。
【０００９】
また、本考案の要旨とするところは、往信用宛名を表示するための窓部を有し、上端に折線を介してフラップを連設した表面シートと、裏面シートとからなる封筒を構成し、前記裏面シートの上端両側には、下方に向かって一定長さのミシン目を設け、このミシン目の下端を連結して折線を構成し、このミシン目と前記折線によって画成された部分を返信用フラップとし、ここに返信用宛名を記載し、一方、表面に往信用宛名を記載し、物品を挟んで収納できる宛名台紙を構成し、前記宛名台紙を前記封筒内に収納して、往信用宛名が前記表面シートの窓部に表示される宛名台紙付き往復封筒である。
【００１０】
また、本考案の要旨とするところは、前記宛名台紙付き往復封筒に使用される宛名台紙であり、宛名台紙を２等分して、表面に返信用宛名を記載し、前記宛名台紙を封筒に封入したとき、前記返信用宛名が封筒の窓部から表示される物品の緩衝材及び隠蔽を兼ねた宛名台紙。
【００１１】
また、本考案の要旨とするところは、前記宛名台紙付き往復封筒に使用される宛名台紙であり、宛名台紙を２等分して、表面に往信用宛名と返信用宛名を記載し、前記宛名台紙を封筒に封入したとき、往信時には往信用宛名が、返信時には返信用宛名が封筒の窓部に表示される物品の緩衝材及び隠蔽を兼ねた宛名台紙である。
【００１２】
また、本考案の要旨とするところは、前記宛名台紙付き往復封筒に使用される宛名台紙であり、宛名台紙を２等分して、表面に往信用宛名を記載し、裏面に返信用宛名を記載し、前記宛名台紙を封筒に封入したとき、往信時には往信用宛名が、返信時には返信用宛名が表示される物品の緩衝材及び隠蔽を兼ねた宛名台紙である。
【００１３】
また、本考案の要旨とするところは、裏面シートに、大型で内部に品物を収納できる小包用の紙製封筒を取り付けた宛名台紙付き往復封筒である。
【００１４】
本考案の要旨とするところは、裏面シートに、大型で内部に品物を収納できる小包用のフイルム製封筒を取り付けた宛名台紙付き往復封筒である。
【考案の効果】
【００１５】
各請求項に記載された封筒は上記の如き構成であるため、共通の効果として、従来往信用と返信用に２枚必要であった封筒のうち返信用の封筒が不要になる。また、宛名台紙を使用することによりＤＶＤ等を保護するための緩衝材を別途設ける必要がなく、製作費用が安くなる。
さらに前記各宛名台紙は、共通の効果としてＤＶＤ等を保護しかつ隠蔽でき、紙製であるため従来の緩衝材より軽く、同一の郵便料金で他の宣伝物等を同封することができるためコストダウンもでき、多くの情報を送信できる。さらには、宛名台紙に記載された各種の情報を顧客データとして使用できる。
【００１６】
請求項１の考案は、フラップの上部に返信用フラップを構成したから、返信時には、フラップをミシン目から切り取り返信用フラップで封緘できるため、構成が簡易で返信作業も容易である。
【００１７】
請求項２の考案は、フラップを折線より切り取り、返信用フラップを折り返して裏面シートの上に貼付して封緘するから、簡易な作業で返信が行えると共に、表面シートの上に返信用フラップを貼付しないため、表面シートが美麗であり、顧客に対して好印象を与えると共に、表面シートの全面が使用できる。
【００１８】
請求項３の考案は、封筒が透明材質により構成されているので、製作費が安価な上に、宛名台紙を反転するだけ往信用宛名を返信用に変更する事ができるため、返信作業が容易に行える。
【００１９】
請求項４の考案は、宛名台紙が封筒内に固定されているため、宛名台紙が堅牢であり、返信用宛名を間違えることがなく、返信作業が確実に行える。
【００２０】
請求項５の考案は、往信用に使用したフラップを、封筒内に収納してその上から、返信用宛名を記載してある返信用フラップを貼付するから、特別にフラップを製作する必要がなく、通常の封筒にわずかな加工を加えれば使用可能であり、返信用宛名を間違えることがなく、返信作業が容易確実に行える。
【００２１】
請求項６ないし８の考案は、宛名台紙の考案であり、それぞれ前記請求項１乃至５の考案に対応するもので、各考案と一体になってその考案に対応した効果を発揮する。
【００２２】
請求項９及び１０の考案は、それぞれ前記請求項３の往復封筒を小包用の紙製封筒を取り付けたものと、請求項１の往復封筒を小包用のフイルム製封筒の表面シート上に取り付けたものであるから、ＤＶＤ等を保護しながら送信できると共に、大型の品物、例えば前記ＤＶＤ等に関する書籍等を同時に送ることができる。
【考案を実施するための最良の形態】
【００２３】
本考案を実施するための最良の形態は、返信用宛名を表示するための窓部を有する表面シートと裏面シートとからなる封筒を構成する。
前記裏面シートの上端に折線を介して、前記窓部を覆い隠し往信用宛名を表示したフラップを連設し、前記フラップの上部には、前記折線より下方に一定距離を有して折線と平行なミシン目を設ける。このミシン目と折線の間のフラップを返信用フラップとする。
一方、長方形の紙製の宛名台紙の長辺を２等分して二つ折りし、表面に返信用宛名を記載する。この宛名台紙を封筒に封入したとき、前記返信用宛名が封筒の窓部に対応して宛名が表示されるＤＶＤ等の緩衝材及び隠蔽を兼ねた宛名台紙を作成する。
前記宛名台紙を前記封筒内に収納して、返信用宛名が前記表面シートの窓部に表示される宛名台紙付き往復封筒である。
【００２４】
以下、本考案の実施例を図に基づいて説明する。
以下の実施例で封筒の材質や大きさは限定されない。例えば、定型郵便や非定型郵便の封筒、あるいは宅配用の厚紙で作成した封筒も含めるものである。
【実施例１】
【００２５】
本考案の第１実施例を、図１乃至図５に基づいて説明する。
図１は封筒の第１実施例の往信時の正面図、図２は同フラップを開いた状態の正面図、図３は宛名台紙の第１実施例の展開正面図、図４は同展開背面図及び図５は封筒の第１実施例の返信時の正面図である。
【００２６】
封筒１は、表面シート１１と裏面シート１２からなる紙製であり、表面シート１１には、返信用宛名７３を表示するための窓部１８を構成すると共に、裏面シート１２の上端にフラップ１３が連設されている。
【００２７】
このフラップ１３は裏面シート１２の上端の折線１６より、表面シート１１側に折り返して、その下端を表面シート１１の表面に貼付している。そしてこのフラップ１３の表面には、往信用宛名１９に顧客名が表示されている。
【００２８】
前記フラップ１３の上部には、前記折線１６から下方に一定距離を有して設けた、折線１６に平行なミシン目（切取線）１５を設け、前記ミシン目１５と折線１６の間を返信用フラップ１４とする。
【００２９】
一方、表面に返信用宛名７３を記載し、二つ折りして封筒１の内部にＤＶＤ等を収納できる宛名台紙７を構成する。
図３及び図４は、宛名台紙の実施例１を示している。この宛名台紙７は長方形であり、長辺の中央を折線７５で二つ折りにして封筒１の内部に収納できる大きさの紙で構成されている。
この宛名台紙７は、表面７１の上部７１ａと下部７１ｂの両方に返信先宛名７３とバーコードを記載し、裏面７２には返却するＤＶＤの表示や予約表示等の各種の情報を情報欄７６に記載し、さらにポイント数をポイント欄７７に記載する。
【００３０】
前記宛名台紙７は、封筒１の内部に収納するＤＶＤ２９の緩衝材の役目を果たす。宛名台紙７は、紙のほかに合成樹脂の緩衝材、ボール紙、ＰＰの不織紙、印刷可能な樹脂シートなどが使用できる。
これらの宛名台紙７は、何回でも使えるうえに、上述のように表面に各種のデータ、例えば、顧客名、ポイント点数等を記載できるため、顧客のデータとして利用が可能なのである。
また、宛名台紙７は、折線７５で切り離して使うこともできる。この場合は、必要に応じて１枚だけを入れ替えることによって返信用封筒として使用することができる。後述の各実施例の宛名台紙も同様に折線で切り離して使うこともできる。
【００３１】
次に前記第１実施例の使用方法を説明する。
顧客からＤＶＤの送信依頼の注文が来ると、その情報を宛名台紙７裏面７２の情報欄７６に直接記入して、それに基づいて当該ＤＶＤを探す。その後、二つ折りした宛名台紙７に当該ＤＶＤ２９を挟んで封筒１に入れる。このようにすることで、ＤＶＤを探して封筒に収納するまでの時間と労力が節約でき、作業のコストダウンが計れる。
【００３２】
その後、表面シート１の上に、顧客の名前すなわち往信用宛名１９を記載したフラップ１３を被せ前記窓部１８を覆い隠して、その下端を表面シート１１上に貼付して送信する。これによってＤＶＤ２９は、宛名台紙７によって保護されながら、安全な状態で確実に送信されるのである。
【００３３】
この封筒１を受け取った顧客は、フラップ１３を開けて中から宛名台紙７と共にＤＶＤ２９を取り出す。
ＤＶＤを返信する場合には、ＤＶＤを宛名台紙７に挟んで封筒１に収納する。その後フラップ１３を上部のミシン目１５から切り取り、返信用フラップ１４を表面シート１１の表面に貼付する。これによって、図５に示すように、表面シート１１の窓部１８から返信用宛名７３が表示されるのである。
【実施例２】
【００３４】
本考案の第２実施例を、図６乃至図９に基づいて説明する。
図６は封筒の第２実施例の往信時の正面図、図７は同フラップを開いた状態の一部切欠き正面斜視図、図８は同フラップを切り離した状態の正面斜視図及び図９は同返信時の正面斜視図である。
【００３５】
封筒２は、表面シート２１と裏面シート２２からなる紙製である。
表面シート２１には、返信用宛名７３を表示するための窓部２８を構成すると共に上端に返信用フラップ２３が連設されている。前記返信用フラップ２３は表面シート２１の上端の折線２４より折り返してなる。
この返信用フラップ２３は後述のフラップ２５より小さく、送信時には表面シート２１側に折畳まれて、フラップ２５によって覆い隠されている。
【００３６】
裏面シート２２の上端にはフラップ２５が連設されている。
前記フラップ２５は裏面シート２２の上端のミシン目からなる折線２６より折り返して、その下端を表面シート２１の表面に貼付している。そしてこのフラップ２５の表面には、顧客の往信用宛名１９が表示されている。
【００３７】
宛名台紙７は、前記第１実施例と同様のものを使用するので説明を省略する。
【００３８】
次に第２実施例の使用方法を説明する。
ＤＶＤ２９を選択した後に、ＤＶＤ２９を封筒２の中に宛名台紙７に挟んで収納する。その後、返信用フラップ２３を表面シート２１側に折畳み、その上からフラップ２５を重ねて、その下端部を表面シート２１の上に貼付して送信する。
【００３９】
開封時には、図８に示すように、フラップ２５を上端２６のミシン目を用いて裏面シート２２から切り離して内部のＤＶＤ２９を取り出す。
その後、封筒２内に返信用のＤＶＤ２９を収納して、返信用フラップ２３を裏面シート２２側に折り返して、裏面シート２２の表面に貼り付ける（図９参照）。
【実施例３】
【００４０】
本考案の第３実施例を、図１０乃至図１４に基づいて説明する。
図１０は封筒の第３実施例の往信時のフラップを開いた状態の正面斜視図、図１１は同往信時の背面図、図１２は宛名台紙の第２実施例の展開正面図、図１３は同展開背面図及び図１４は封筒の第３実施例の返信時の正面斜視図である。
【００４１】
本実施例は、封筒３が透明のフイルムによって構成されている。この透明フイルムは、カラーフイルムより製作コストが３０％カットできる。
封筒３は、表面シート３１と裏面シート３２からなり、裏面シート３２の上端にフラップ３３が連設されている。
このフラップ３３は裏面シート３２の上端の折線３６より折り返して、その下端を表面シート３１の表面に貼付している。
【００４２】
前記フラップ３３の上部には、前記折線３６から下方に一定距離を有して折線３６に平行なミシン目３５を設け、前記ミシン目３５と折線３６の間のフラップを返信用フラップ３４とする。
【００４３】
図１２及び図１３に基づいて、宛名台紙の実施例２を説明する。
この宛名台紙８は長方形であり、長辺の中央を折線８５で二つ折りにして、封筒３の内部に収納できる大きさの紙で構成されている。
この宛名台紙８は、表面８１の上部８１ａと下部８１ｂのどちらか一方に往信用宛名８８とバーコードを記載し、裏面８２の上部８２ａには返却するＤＶＤ２９の表示や予約表示等の各種の情報を情報欄８６に記載し、さらにポイント数をポイント欄８７に記載する。そして下部８２ｂには返信用宛名８９を記入する。
前記情報欄８６、ポイント欄８７あるいは返信用宛名８９の位置はこの実施例に限らず任意に決定できる。
【００４４】
往信時には表面の上部８ａに往信用宛名８８を記入し、返信時は宛名台紙８をひっくり返してＤＶＤ２９を挟み、返信用宛名８９を表面に表示して、ミシン目３５からフラップ３３を切り取り、上部の返信用フラップ３４を表面シート３１に貼付する（図１４参照）。
【００４５】
このようにして送信することによって、封筒３は透明であるが宛名台紙８によって内部に収納されたＤＶＤ２９の題号などを隠すことができる。そのため、本実施の宛名台紙８によれば、ＤＶＤ２９の保護をすると共に、ＤＶＤ２９を隠蔽して安全に送信できる効果を有する。
【実施例４】
【００４６】
本考案の第４実施例を、図１５乃至図１９に基づいて説明する。
図１５は封筒の第４実施例の往信時の正面図、図１６は同往信時の背面図、図１７は同往信時のフラップを切り離した状態の背面図、図１８は同返信時の背面図、図１９は同返信時の正面図及び図２０は宛名台紙の第３実施例の展開正面図である。
【００４７】
封筒４は、表面シート４１と裏面シート４２からなる紙製である。
表面シート４１には、往信用宛名４９を表示するための窓部４７を構成すると共に、上端にフラップ４３が連設されている。前記フラップ４３は表面シート４１の上端のミシン目よりなる折線４６より折り返してなる。
このフラップ４３の高さＨ１は後述の返信用フラップ４４の高さＨ２より大きく、送信時には裏面シート４２上に折畳まれて、返信用宛名９３を覆い隠すのである。
【００４８】
裏面シート４２の上端には返信用フラップ４４が連設されている。
前記返信用フラップ４４は裏面シート４２の上端の折線４５より折り返している。
【００４９】
宛名台紙の実施例３を説明する。この宛名台紙９は長方形の紙製であり、長辺の中央を二つ折りにして、封筒４の内部に固定して収納されている。
この宛名台紙９は、表面の上部９ａに往信用宛名４９を記載し、下部９ｂには返信用宛名９３を記載する。そして、往信用宛名４９は表面シート４１の窓部４７から表示され、返信用宛名９３は裏面シート４２の窓部４８から表示されるのである。
【００５０】
次に前記封筒の第４実施例の使用方法を説明する。
ＤＶＤ２９を選択した後に、ＤＶＤ２９を封筒４の中に宛名台紙９に挟んで収納する。その後、返信用フラップ４４を裏面シート４２側に折畳み、その上からフラップ４３を重ねて、その下端部を裏面シート４２の上に貼付して送信する。
【００５１】
開封時には、図１７に示すようにフラップ４３を上端４６のミシン目を用いて表面シート４１から切り離して内部のＤＶＤ２９を取り出す。
その後、封筒４内に返信用のＤＶＤ２９を収納して、返信用フラップ４４を表面シート４１側に折り返して、表面シート４１の表面に貼り付ける（図１８参照）。
この場合、フラップ４３は高さＨ１を有し、その先端は返信用宛名９３より下方に位置するため、送信時には返信用宛名９３を覆い隠すことができる（図１６参照）。
また、返信用フラップ４４は高さＨ２を有し、その先端は往信用宛名４９より下方に位置するため、返信時には往信用宛名４９を覆い隠すことができるため、往信も返信も正確に行えるのである（図１９参照）。
【実施例５】
【００５２】
本考案の第５実施例を、図２１乃至図２３に基づいて説明する。
図２１は封筒の第５実施例の開封時の背面斜視図、図２２は同フラップを開き、返信用フラップを折り返した状態の背面図及び図２３は同返信時の背面図である。
【００５３】
封筒５は、表面シート５１と裏面シート５２からなる紙製であり、表面シート５１には、往信用宛名４９を表示するための窓部４８を構成すると共に、表面シート５１の上端にフラップ５３が連設されている。
【００５４】
このフラップ５３は表面シート５１の上端の折線より、裏面シート５２側に折り返して、その下端を裏面シート５２の表面に貼付している。
【００５５】
前記フラップ５３は、表面の長手方向全長に亘り２本のミシン目６１，６１を構成して、開封用の切取片６０，６０を構成している。
【００５６】
前記裏面シート５２の上端両側には、下方に向かって長さＬにわたりミシン目５５，５５を設け、このミシン目５５，５５の下端を連結して折線５６を構成し、このミシン目５５，５５と折線５６によって画成された部分を返信用フラップ５７とする。
この返信用フラップ５７の表面には、返信用宛名９３が記載されている。
【００５７】
本実施例では宛名台紙１０は、前記宛名台紙の第２実施例のものを使用する。
【００５８】
次に第５実施例の使用方法を説明する。
ＤＶＤ２９を選択した後に、ＤＶＤ２９を封筒５の中に宛名台紙１０に挟んで収納する。その後、フラップ５３を裏面シート５２側に折畳み、その下端部を裏面シート５２の上に貼付して送信する。
【００５９】
開封時には、図２１に示すように、フラップ５３上に構成した、開封用の切取片６０，６０を掴んで両側に開くと、フラップ５３の下端は裏面シート５２に残るが、上部は裏面シート５２より切り離されて開封状態となり、内部のＤＶＤ２９を取り出せる。
その後、封筒５内に返信用のＤＶＤ２９を宛名台紙１０と共に収納して、返信用フラップ５７を前記裏面シート５２の上端両側のミシン目５５，５５を切り離し、同時に折線５６より裏面シート５２の表面に折り返して図２２の状態とする。
【００６０】
その後、フラップ５３を表面シート５１の裏面に折り畳んで、封筒５の内部に挿入し、その上から、返信用フラップ５７を貼付するのである（図２３参照）。
【実施例６】
【００６１】
本考案の第６実施例を図２４に基づいて説明する。図２４は、封筒の第６実施例の正面斜視図である。
【００６２】
本実施例の封筒１０５は、大型で内部に品物２００を収納できる小包用の封筒であり、表面シート１５１と裏面シート１５２からなる紙製である。表面シート１５１には、透明フイルムで作成した小型の封筒３が取り付けてあり、封筒３の内部には宛名台紙８を収納している。
【００６３】
前記封筒３は第３実施例の封筒３と同一であり、また宛名台紙８は前記図１２及び図１３に記載された宛名台紙の実施例２と同一のため説明を省略する。
【００６４】
本実施例の使用に際しては、送信されてきた封筒１０５内部より品物２００を取り出し、別の品物を収納して封印する。その後、封筒３のフラップ３３をはがして内部の宛名台紙８を取り出し、返信用宛名を表に出して再び封筒３の中に入れて、返信用フラップ３４で封をして返信する。このようにすることで、大型の封筒１０５が簡易な方法で再使用できる。
【実施例７】
【００６５】
本考案の第７実施例を図２５に基づいて説明する。図２５は封筒の第７実施例の正面斜視図である。
【００６６】
本実施例の封筒１１５は、大型で内部に品物２００を収納できる小包用の封筒であり、表面シート１６１と裏面シート１６２からなるフイルム製である。表面シート１６１には、紙で作成した小型の封筒１が取り付けてあり、封筒５の内部には宛名台紙７を収納している
【００６７】
前記封筒１は第１実施例の封筒１と同一であり、また宛名台紙７は前記実施例１の宛名台紙と同様である。
【００６８】
本実施例の使用に際しては、送信されてきた封筒１１５内部より品物２００を取り出し、別の品物を収納して封印する。その後、フラップ１３を上部のミシン目１５から切り取り、返信用フラップ１４で封をして返信する。このようにすることで、大型の封筒１１５が簡易な方法で再使用できる。
【００６９】
前記第６実施例において封筒を第７実施例のものを使用し、また第７実施例において封筒を第６実施例のものを使用することもできる。
また、宛名台紙の形状は本実施例に限定されず、任意に選択できる。
【図面の簡単な説明】
【００７０】
【図１】封筒の第１実施例の往信時の正面図
【図２】封筒の第１実施例のフラップを開いた状態の正面図
【図３】宛名台紙の第１実施例の展開正面図
【図４】宛名台紙の第１実施例の展開背面図
【図５】封筒の第１実施例の返信時の正面図
【図６】封筒の第２実施例の往信時の正面図
【図７】封筒の第２実施例のフラップを開いた状態の一部切欠き正面斜視図
【図８】封筒の第２実施例のフラップを切り離した状態の正面斜視図
【図９】封筒の第２実施例の返信時の正面斜視図
【図１０】封筒の第３実施例の往信時のフラップを開いた状態の正面斜視図
【図１１】封筒の第３実施例の往信時の背面図
【図１２】宛名台紙の第２実施例の展開正面図
【図１３】宛名台紙の第２実施例の展開背面図
【図１４】封筒の第３実施例の返信時の正面斜視図
【図１５】封筒の第４実施例の往信時の正面図
【図１６】封筒の第４実施例の往信時の背面図
【図１７】封筒の第４実施例の往信時のフラップを切り離した状態の背面図
【図１８】封筒の第４実施例の返信時の背面図
【図１９】封筒の第４実施例の返信時の正面図
【図２０】宛名台紙の第３実施例の展開正面図
【図２１】封筒の第５実施例の開封時の背面斜視図
【図２２】封筒の第５実施例のフラップを開き、返信用フラップを折り返した状態の背面図
【図２３】封筒の第５実施例の返信時の背面図
【図２４】封筒の第６実施例の正面斜視図
【図２５】封筒の第７実施例の正面斜視図
【符号の説明】
【００７１】
１   封筒 
２   封筒 
３   封筒 
４   封筒 
５   封筒 
７  宛名台紙
８  宛名台紙
１１  表面シート
１２  裏面シート
１３  フラップ
１４  返信用フラップ
１５  ミシン目
１６  折線
１８  窓部
１９  往信用宛名
２１  表面シート
２２  裏面シート
２３  返信用フラップ
２５  フラップ
２６  折線
２９  ＤＶＤ
３１  表面シート
３２  裏面シート
３３  フラップ
３４  返信用フラップ
３６  折線
４１  表面シート
４２  裏面シート
４３  フラップ
４４  返信用フラップ
４５  折線
４９  往信用宛名
５１  表面シート
５２  裏面シート
５３  フラップ
５６  折線
５７  返信用フラップ
６０  切取片
７３  返信用宛名
７５  折線
８８  往信用宛名
８９  返信用宛名
９３  返信用宛名
１０５  封筒
１１５  封筒
【図６】
0003148415.tif 000003
【図２０】
0003148415.tif 000004
【図１】
0003148415.tif 000005
【図２】
0003148415.tif 000006
【図３】
0003148415.tif 000007
【図４】
0003148415.tif 000008
【図５】
0003148415.tif 000009
【図７】
0003148415.tif 000010
【図８】
0003148415.tif 000011
【図９】
0003148415.tif 000012
【図１０】
0003148415.tif 000013
【図１１】
0003148415.tif 000014
【図１２】
0003148415.tif 000015
【図１３】
0003148415.tif 000016
【図１４】
0003148415.tif 000017
【図１５】
0003148415.tif 000018
【図１６】
0003148415.tif 000019
【図１７】
0003148415.tif 000020
【図１８】
0003148415.tif 000021
【図１９】
0003148415.tif 000022
【図２１】
0003148415.tif 000023
【図２２】
0003148415.tif 000024
【図２３】
0003148415.tif 000025
【図２４】
0003148415.tif 000026
【図２５】
0003148415.tif 000027